(57)【要約】高層建物の上層部、屋上または地上に設置され、ケーブル（１１０）を降下し或いは引上げる巻上機（１００）と、高層建物の上層部または屋上から高層建物の下層部または地上に連結され、２個が一定距離離隔して並設されるガイドワイヤー（２００）と、水平方向に設置され、左右側端部のそれぞれに前記ガイドワイヤー（２００）が通過するワイヤー通過孔（３１０）が備えられ、前記ガイドワイヤー（２００）に沿って昇降する多数個の昇降棒（３００）と、前記昇降棒（３００）に結合され、前記昇降棒３００が上昇或いは下降しながら前記昇降棒（３００）間の距離が広がると開きながら遮陽の役割をする遮陽幕（４００）と、を含んでなり、前記昇降棒（３００）のうち、最上端または最下端に位置した昇降棒（３００）に前記ケーブル（１１０）が連結される。【選択図】図１
2018501419.tif 000002
【特許請求の範囲】
【請求項１】
高層建物の上層部、屋上または地上に設置され、ケーブル（１１０）を降下し或いは引上げる巻上機（１００）と、
高層建物の上層部または屋上から高層建物の下層部または地上に連結され、２個が一定距離離隔して並設されるガイドワイヤー（２００）と、
水平方向に設置され、左右側端部のそれぞれに前記ガイドワイヤー（２００）が通過するワイヤー通過孔（３１０）が備えられ、前記ガイドワイヤー（２００）に沿って昇降する多数個の昇降棒（３００）と、
前記昇降棒（３００）に結合され、前記昇降棒（３００）が上昇或いは下降しながら前記昇降棒（３００）間の距離が広がると開きながら遮陽の役割をする遮陽幕（４００）と、を含んでなり、
前記巻上機（１００）のケーブル（１１０）は、前記昇降棒（３００）のうち、最上端または最下端に位置した昇降棒（３００）を引上げ或いは降下し、
前記巻上機（１００）のケーブル（１１０）が前記昇降棒（３００）のうち最下端に位置した昇降棒（３００）を引上げる場合、最上端に位置した昇降棒（３００）は、高層建物上層部の前記ガイドワイヤー（２００）に固定される
ことを特徴とする高層建物用大型外部遮陽装置。
【請求項２】
前記巻上機（１００）から繰り出される前記ケーブル（１１０）に噛合して回転しながら前記ケーブル（１１０）の昇降を案内するガイドプーリー（１２０）が含まれる
請求項１に記載の高層建物用大型外部遮陽装置。
【請求項３】
前記遮陽幕（４００）は、
上端部及び下端部が前記昇降棒（３００）に付着し、前記昇降棒（３００）の上昇や下降によって開きながら前記昇降棒（３００）間の距離を決定する
請求項１に記載の高層建物用大型外部遮陽装置。
【請求項４】
前記遮陽幕（４００）は、
上端部のみ前記昇降棒（３００）に付着して懸垂状態で開き、
下端部には、前記遮陽幕（４００）が開いた状態を維持するように荷重を加えるウェイト部材（４１０）が付着し、
前記昇降棒（３００）は、
前記昇降棒（３００）同士を連結して、前記昇降棒（３００）が上昇或いは下降しながら前記昇降棒（３００）間の距離が広がると前記昇降棒（３００）間の距離を決定する連結ケーブル（３２０）が含まれる
請求項１に記載の高層建物用大型外部遮陽装置。
【請求項５】
高層建物の上層部、屋上または地上に設置されてケーブル（１１０）を降下し或いは引上げる巻上機（１００）と、
高層建物の上層部または屋上から高層建物の下層部または地上に連結され、２個が一定距離離隔して並設されるガイドワイヤー（２００）と、
水平方向に設置され、左右側端部のそれぞれに前記ガイドワイヤー（２００）が通過するワイヤー通過孔（３１０）が備えられ、前記ガイドワイヤー（２００）に沿って昇降する多数個の昇降棒（３００）と、
前記昇降棒（３００）に結合され、前記昇降棒（３００）が上昇或いは下降しながら前記昇降棒（３００）間の距離が広がると開きながら遮陽の役割をする遮陽幕（４００）と、を含んでなり、
最上端に位置した昇降棒（３００）は、高層建物上層部の前記ガイドワイヤー（２００）に固定され、
前記遮陽幕（４００）は、
蝶番（４４０）によって回動する構造で結合された２個のパネルからなるパネルフレーム（４２０）と、
前記パネルフレーム（４２０）の中央切開部位に遮陽と眺望が可能なように備えられるブラインド部（４３０）とから構成され、
前記パネルフレーム（４２０）の上部パネル上端部は、隣接する前記パネルフレーム（４２０）の下部パネルの下端部と前記昇降棒（３００）で蝶番（４４０）によって回動する構造で結合され、
前記パネルフレーム（４２０）の下部パネルの下端部は、隣接する前記パネルフレーム（４２０）の上部パネルの上端部と前記昇降棒（３００）で蝶番（４４０）によって回動する構造で結合され、
最下端の昇降棒（３００）の下部に設置され、前記ガイドワイヤー（２００）が通過するリング（４６０）が左右両側に備えられ、前記巻上機（１００）のケーブル（１１０）に連結されて昇降し、上昇しながら折り畳まれる前記パネルフレーム（４２０）を収納するパネルホルダー（４５０）が含まれる
ことを特徴とする高層建物用大型外部遮陽装置。
【請求項６】
前記巻上機（１００）に対して繰り出されるか巻き付けられる前記ケーブル（１１０）の長さを感知するセンサー部（５１０）と、
前記センサー部（５１０）の感知信号を受信し、前記巻上機（１００）の作動を制御する制御部（５２０）とが含まれる
請求項１ないし５のいずれかに記載の高層建物用大型外部遮陽装置。
【請求項７】
高層建物の上層部、屋上または地上に設置され、前記遮陽幕（４００）が折り畳まれると収容する貯蔵庫の役割をするハウジング（６００）を含む
請求項６に記載の高層建物用大型外部遮陽装置。
【発明の詳細な説明】
【技術分野】
【０００１】
本発明は、高層建物用大型外部遮陽装置に関し、太陽光（熱）が建物内部に入射することを効果的に遮断することができるように建物外部に設置して太陽熱の遮断効果を高め、大型高層建物用に適用することができることを特徴とする。
【背景技術】
【０００２】
都市化が進むにつれて、建築物のデザインもこれに対応して建物の視覚的な閉鎖性を緩和させる方向に変化し、同時により迅速な建物の築造のための一つの方法として、従来の密閉された素材形態から開放的かつ経済的な建築方法としてガラス素材の使用比率が増え、ひいては建物の外壁全面がガラスからなるカーテンウォール（Ｃｕｒｔａｉｎ  Ｗａｌｌ）方式の大型ガラス建築物が流行している。
しかし、ガラス素材が有する短所であるエネルギー流出に対する弱点により、建物のエネルギー効率問題が深刻な社会的かつ経済的問題として台頭した。特に、夏の直射日光の過剰流入によるガラス建物内部の温度上昇は建物の冷房代を急激に増加させ、国全体の夏の電力過負荷の主な原因として作用しており、また紫外線の過剰流入は人体の健康にも多くの問題を引き起こしており、ガラス建物の直射日光反射による視覚混乱現象は深刻な都市の公害問題として登場している。
【０００３】
従来は、太陽熱の流入を遮断するために、建物内部にカーテンまたはブラインドを使用するか、ガラスに色（遮光）フィルムを付着するなどの建物内部に遮陽を設置する方法が主に使用された。近来に入ってからは、Ｌｏｗ−Ｅ（Ｌｏｗ  Ｅｎｅｒｇｙ）ガラスや二重／三重窓の間に極小型のブラインドを挿入する形態まで試みられている。
しかし、いかなる形態の内部遮陽方法でも、ブラインド／カーテン方式は、既に太陽熱が建物内部に入射した状態であり、大部分の太陽熱エネルギーがそのまま建物内部に留まるようなって熱遮断効果が不充分であり、Ｌｏｗ−Ｅガラスなどの方式は、太陽熱伝達の時間が遅延する原理なので、遮陽による太陽熱遮断効果が大きいとは認められず、設置費用も高いという短所がある。
【０００４】
また、建物外部に遮陽物を装置する方式としては、外部用ブラインドや遮陽幕（ａｗｎｉｎｇ）または遮陽構造物（Ｌｏｕｖｅｒ）を設置する方式があるが、５階以上の建物では風の影響で設置に限界があり、費用の問題だけでなく、一度設置すると永久的に建物の外壁に損傷（変化）を与える可能性がある。特に、遮陽構造物（Ｌｏｕｖｅｒ）の場合は、費用がさらにかかり、建物の外壁に永久的に設置しなければならないため、眺望の確保と建物の外観の変更による採択に多くの困難があり、制限的に採用されている。
【発明の概要】
【発明が解決しようとする課題】
【０００５】
本発明は、夏の太陽熱遮断効果が（内部遮陽システムより）高い外部遮陽システムにおいて既存方式の非経済性と設置の限界性を革新的に改良したものであって、その目的は、次のとおりである。
【０００６】
第一に、風の影響を多く受ける大型高層建物（商業用、住居用）にも設置することができる高層建物用大型外部遮陽システムを提供することを本発明の目的とする。
【０００７】
第二に、必要に応じて設置及び脱着が可能であり、建物の外観に影響を及ぼさない高層建物用大型外部遮陽システムを提供することを本発明の他の目的とする。
【０００８】
第三に、冬には最大限太陽光を流入させて暖房エネルギーを節減することができる高層建物用大型外部遮陽システムを提供することを本発明の別の目的とする。
【０００９】
第四に、経済的な装置費用で汎用的に使用することができる高層建物用大型外部遮陽システムを提供することを本発明の別の目的とする。
【課題を解決するための手段】
【００１０】
本発明は、高層建物の上層部、屋上または地上に設置され、ケーブル１１０を降下し或いは引上げる巻上機１００と、高層建物の上層部または屋上から高層建物の下層部または地上に連結され、２個が一定距離離隔して並設されるガイドワイヤー２００と、水平方向に設置され、左右側端部のそれぞれに前記ガイドワイヤー２００が通過するワイヤー通過孔３１０が備えられ、前記ガイドワイヤー２００に沿って昇降する多数個の昇降棒３００と、前記昇降棒３００に結合され、前記昇降棒３００が上昇或いは下降しながら前記昇降棒３００間の距離が広がると開きながら遮陽の役割をする遮陽幕４００と、を含んでなり、前記巻上機１００のケーブル１１０は、前記昇降棒３００のうち、最上端または最下端に位置した昇降棒３００を引上げ或いは降下し、前記巻上機１００のケーブル１１０が前記昇降棒３００のうち最下端に位置した昇降棒３００を引上げる場合、最上端に位置した昇降棒３００は、高層建物上層部の前記ガイドワイヤー２００に固定されることを特徴とする。
【発明の効果】
【００１１】
本発明による技術的効果は、次のとおりである。
第一に、風の影響でこれまでほぼ不可能であった高層大型建物（商業用、住居用）に外部遮陽装置を設置することができる。
第二に、建物本来の外観と都市全体の美観に恒久的で、大きな影響を及ぼさずに施設することができる。
第三に、真昼のガラス建物の直射日光反射による都心の眩しさという公害を除去することができる。
第四に、遮陽幕の使用材質によって遮陽と同時に一部の眺望までも考慮することができるだけでなく、夜間にはビームプロジェクトを通じてスクリーン用途としても活用することができる。
第五に、全体システムを容易に統制管理することで、建物のエネルギー管理における効率性を高め、節減されるエネルギー費用だけでも遮陽幕の投資費用を早期回収することができる。
第六に、多様なデザインで夏の新鮮な都市の景観を具現することができ、会社のロゴや広報文句を遮陽幕に付着させて会社や公共広報を並行することができる。
【図面の簡単な説明】
【００１２】
【図１】巻上機１００が地上に設置される場合を示す説明図
【図２】巻上機１００が高層建物の屋上に設置される場合を示す説明図
【図３】遮陽幕４００の具体的な実施例を示す説明図
【図４】遮陽幕４００の他の具体的な実施例を示す説明図
【図５】遮陽幕４００のまた他の具体的な実施例を示す説明図
【図６】図５に係る実施例としてパネルホルダー４５０の設置構造を示す説明図
【発明を実施するための形態】
【００１３】
以下、本発明の具体的な実施例について、添付図面を参照して詳しく説明する。
本発明は、高層建物の大型外部遮陽装置に関し、夏の太陽光（熱）が建物内部に入射することを建物の外部で遮断して遮陽効果を極大化し、高層大型建物にも適用可能な大型遮陽装置に関する。
【００１４】
巻上機１００は、高層建物の上層部、屋上または地上に設置され、ケーブル１１０を降下し或いは引上げる役割をする。
かかる巻上機１００は、一種のケーブルリール（ｃａｂｌｅ  ｒｅｅｌ）に該当し、多様な種類と規格の製品のうち設置空間や周辺環境などの条件を考慮して適切なものを選択すればよい。
かかる巻上機１００は、図１に示されているように地上に設置することもでき、図２に示されているように高層建物の屋上に設置することもできる。添付の図面に別途示さなかったが、高層建物の上層部に適切な設置空間を用意し、巻上機１００を設置することもできる。
【００１５】
ガイドワイヤー２００は、高層建物の上層部または屋上から高層建物の下層部または地上に連結され、２個が一定距離離隔して並設されて昇降棒３００のガイドの役割をするようになる。また、ガイドワイヤー２００は、開いた遮陽幕４００を風の影響から動かないように固定させる役割を同時にする。
昇降棒３００は、水平方向に設置され、昇降棒３００の左右側端部のそれぞれにガイドワイヤー２００が通過するワイヤー通過孔３１０が備えられ、ガイドワイヤー２００に沿って昇降する。
【００１６】
このような昇降棒３００の使用個数は、建物の大きさと高さなどを考慮して適切に決定することができる。
巻上機１００のケーブル１１０は、昇降棒３００のうち最上端または最下端に位置した昇降棒３００に連結されるが、図１のように巻上機１００が地上に設置される場合には、ケーブル１１０が昇降棒３００の最上端に連結され、図２のように巻上機１００が高層建物の屋上に設置される場合には、ケーブル１１０が昇降棒３００の最下端に連結される。ここで、ケーブル１１０が昇降棒３００の最下端に連結される場合には、当然、最上端に位置した昇降棒３００は図２に示されているように建物の上層部のガイドワイヤー２００に固定されなければならず、ガイドワイヤー２００に沿って動いてはならない。なぜなら最上端の昇降棒３００がガイドワイヤー２００に沿って下降すると、図２のように遮陽幕４００が開かないからである。
【００１７】
即ち、図１の場合、昇降棒３００が上昇しながら遮陽幕４００が開くようになり、図２の場合、昇降棒３００が下降しながら遮陽幕４００が開くようになる。
遮陽幕４００が開いた状態で、昇降棒３００間の距離は概略１メートルないし３メートル程度になるように設計することができる。
遮陽幕４００は、昇降棒３００に結合され、昇降棒３００が上昇或いは下降しながら昇降棒３００間の距離が広がると開きながら遮陽の役割をする。
ガイドプーリー１２０は巻上機１００から繰り出されるケーブル１１０に噛合して回転しながらケーブル１１０の昇降を案内する役割をするが、このようなガイドプーリー１２０によってケーブル１１０が一定の経路に沿って安定して昇降する。
【００１８】
図３は遮陽幕４００の具体的な実施例を示しているが、遮陽幕４００の上端部及び下端部がそれぞれ昇降棒３００に付着する構造であって、昇降棒３００の上昇や下降によって遮陽幕４００が順次に開きながら、遮陽幕４００の上下幅に応じて昇降棒３００間の距離が決定される。
このような遮陽幕４００の素材は、一般的な天幕素材、眺望を考慮した半透明網素材、天然素材などの多様な選択が可能であるが、太陽光や雨水などによる損傷や老朽化が最大限抑制され、充分な強度と耐久性を有する材質を選択することが好ましい。
【００１９】
図４には遮陽幕４００の他の実施例が示されているが、遮陽幕４００の上端部のみ昇降棒３００に付着して懸垂状態で順次的に開き、各遮陽幕４００の下端部には、遮陽幕４００が開いた状態を維持するように荷重を加えるウェイト部材４１０が付着する。即ち、一つの昇降棒３００に一つの遮陽幕４００が付着した構造となるものであり、各遮陽幕４００は、ウェイト部材４１０の荷重によって煽られず自然に開いた状態を維持するようになる。
ウェイト部材４１０は多様な材料で製作でき、その形状や構造も特に制限がなく、単に遮陽幕４００の下端部に付着して適正な重さで遮陽幕４００が煽られることを防ぐことができれば充分である。
同時に、連結ケーブル３２０がこのような昇降棒３００を相互連結し、昇降棒３００が上昇或いは下降しながら昇降棒３００間の距離が広がると昇降棒３００間の距離を決定するようになる。
【００２０】
図５及び図６には遮陽幕４００のまた他の具体的な実施例が示されている。
パネルフレーム４２０は、蝶番４４０によって回動する構造で結合された２個のパネルからなり、パネルフレーム４２０の中央切開部位に遮陽と眺望が可能なようにブラインド部４３０が備えられる。
このようなブラインド部４３０は、竹、椰子の葉、葦、または織物で作られた簾であってもよく、太陽光の入射を効果的に防ぐと同時に、簾の隙間から眺望が可能であり、遮陽と眺望を同時に確保することができる。
パネルフレーム４２０の上部パネル上端部は、隣接するパネルフレーム４２０の下部パネルの下端部と上部に位置した昇降棒３００で蝶番４４０によって回動する構造で結合され、パネルフレーム４２０の下部パネルの下端部は、隣接するパネルフレーム４２０の上部パネルの上端部と下部に位置した昇降棒３００で蝶番４４０によって回動する構造で結合される。
【００２１】
このようなパネルフレーム４２０も、巻上機１００のケーブル１１０によって重畳或いは展開されるが、図６には、パネルホルダー４５０がケーブル１１０によって上昇すると遮陽幕４００を構成するパネルフレーム４２０が重畳しながらパネルホルダー４５０に収納される場合を示している。即ち、図６に示されたようにケーブル１１０が直接昇降棒３００に連結されるのではなく、パネルホルダー４５０に連結される構造である。同時に、この場合にも当然最上端に位置する昇降棒３００は、図６に示されているように建物の上層部のガイドワイヤー２００に固定されなければならず、ガイドワイヤー２００に沿って動いてはならない。なぜなら、最上端の昇降棒３００がガイドワイヤー２００に沿って下降すると、遮陽幕４００が開いた状態を維持することができないからである。
このようなパネルホルダー４５０は、最下端の昇降棒３００の下部に設置され、ガイドワイヤー２００が通過するリング４６０が左右両側に備えられるが、巻上機１００のケーブル１１０に連結されて昇降する構造である。
【００２２】
センサー部５１０は、巻上機１００から繰り出されるか、巻上機１００に巻き付けられるケーブル１１０の長さを感知する役割をするが、多様な種類のセンサーが選択でき、場合によっては、ガイドプーリー１２０の回転数を感知して、ガイドプーリー１２０を通過したケーブル１１０の距離を演算するセンサーを使用することができる。
制御部５２０は、センサー部５１０の感知信号を受信するか、巻上機１００の作動を命令する入力信号を受信して巻上機１００の作動を制御する役割をするが、一つの建物に多数個の巻上機１００が設置される場合、これを統合して制御することもできる。
【００２３】
ハウジング６００は、高層建物の上層部、屋上または地上に設置され、遮陽幕４００が折り畳まれると貯蔵庫の役割をするが、このようなハウジング６００は、巻上機１００が設置された所に一緒に設置されることが一般的である。
【００２４】
以上、本発明の具体的な実施例を添付図面を参照して説明したが、本発明の保護範囲は必ずしもこの実施例のみに限定されるのではなく、本発明の技術的要旨を変更しない範囲内における多様な設計変更、公知技術の付加や削除、単なる数値限定などの場合も本発明の保護範囲に属する。
【産業上の利用可能性】
【００２５】
本装置は、現代式高層ガラス建物の問題点を除去するために必ず必要な設備であって、利用時に産業上の恩恵が大きい。
１．ガラスの建物（Ｇｌａｓｓ  ｗａｌｌ）の直射光の室内流入遮断用：夏季の冷房エネルギーの削減
２．建物の窓ガラスの光反射による眩しさという公害の除去：環境問題の解決
３．遮陽のスクリーン効果を用いた広告とレーザーショーを用いたイベント活用
したがって、本装置は、数多くの高層ガラス建物の夏季の建物の冷房エネルギー使用を大幅に削減することができ、新たな都市環境問題を解決し、新たな産業分野を創出することができる可能性が非常に高い。
【符号の説明】
【００２６】
１００    巻上機
１１０    ケーブル
１２０    ガイドプーリー
２００    ガイドワイヤー
３００    昇降棒
３１０    ワイヤー通過孔
３２０    連結ケーブル
４００    遮陽幕
４１０    ウェイト部材
４２０    パネルフレーム
４３０    ブラインド部
４４０    蝶番
４５０    パネルホルダー
４６０    リング
５１０    センサー部
５２０    制御部
６００    ハウジング
【図１】
2018501419.tif 000003
【図２】
2018501419.tif 000004
【図３】
2018501419.tif 000005
【図４】
2018501419.tif 000006
【図５】
2018501419.tif 000007
【図６】
2018501419.tif 000008
【国際調査報告】
2018501419.tif 000009
2018501419.tif 000010
2018501419.tif 000011
2018501419.tif 000012